(57)【要約】      （修正有）【課題】折り畳み可能で且つ着脱が簡便である腰掛けを提供する。【解決手段】腰掛け本体１は、可撓性材料からなる底部に開口が形成される中空の多面体である。支持部材は、外フレーム２と、内フレーム３と、頂部支持プレート４と、底部支持プレート５とを含む。腰掛け本体の側壁が外フレームによって支持される。外フレームは、側面が閉じられ且つ両端に開口が形成されたフレーム体となるように、三つ以上の硬質板材が連結されたものであると共に、各連結部に沿って折り畳み可能である。外フレームが内フレームによって支持され、内フレームは、二つ以上の硬質板材が交差して組み合わされることで構成される。腰掛け本体の座面が頂部支持プレートによって支持され、頂部支持プレートは、内フレームの頂部に位置する。底部支持プレートは、内フレームの底部に位置し且つ外フレーム内に収納され、腰掛け本体の底部の開口周縁は、底部支持プレートに着脱可能に連結される。【選択図】図１
0003188053.tif 000002
【実用新案登録請求の範囲】
【請求項１】
腰掛け本体と腰掛け本体内に収納される支持部材とを含み、前記腰掛け本体は、可撓性材料からなる底部に開口が形成されている中空の多面体であり、前記支持部材は、外フレームと、内フレームと、頂部支持プレートと、底部支持プレートとを含み、
前記腰掛け本体の側壁が前記外フレームによって支持され、前記外フレームは、側面が閉じられ且つ両端に開口が形成されたフレーム体となるように、三つ以上の硬質板材が連結されたものであると共に、各連結部に沿って折り畳み可能であり、
前記外フレームが前記内フレームによって支持され、前記内フレームは、二つ以上の硬質板材が交差して組み合わされることによって構成され、
前記腰掛け本体の座面が前記頂部支持プレートによって支持され、前記頂部支持プレートは、前記内フレームの頂部に位置しており、
前記底部支持プレートは、前記内フレームの底部に位置し且つ前記外フレーム内に収納されており、前記腰掛け本体の底部の開口周縁が前記底部支持プレートに着脱可能に連結されていることを特徴とする腰掛け。
【請求項２】
前記頂部支持プレートは、二つの硬質板材が重なることにより構成され、上層にある硬質板材が外フレームの上に置かれ、下層にある硬質板材が外フレーム内に収納されていることを特徴とする請求項１に記載の腰掛け。
【請求項３】
下層にある硬質板材の形状が、外フレームの頂部の開口形状とマッチングしていることを特徴とする請求項２に記載の腰掛け。
【請求項４】
前記腰掛け本体が中空の直方体であり、前記外フレームは、側面が閉じられ且つ両端に開口が形成されたフレーム体となるように、四つの硬質板材が連結されたものであり、中央に短冊状の溝が設けられている二つの硬質板材が十字状に交差して組み合わされることにより前記内フレームが構成され、前記短冊状の溝が設けられている硬質板材が前記フレーム体の対角線に位置していることを特徴とする請求項１に記載の腰掛け。
【請求項５】
前記腰掛け本体の底部の開口周縁及び底部支持プレートの互いに対応する位置には、面ファスナーがそれぞれ設置されていることを特徴とする請求項１に記載の腰掛け。
【請求項６】
前記底部支持プレートが、外フレームの底部の開口形状とマッチングしていることを特徴とする請求項１に記載の腰掛け。
【請求項７】
前記可撓性材料は、布、皮革、人工皮革、スポンジから選ばれる１種または２種以上の材料であることを特徴とする請求項１に記載の腰掛け。
【請求項８】
前記硬質板材は、板紙、プラスチック板、鋼板から選ばれる１種または２種以上の材料であることを特徴とする請求項１に記載の腰掛け。
【考案の詳細な説明】
【技術分野】
【０００１】
本考案は、腰掛けに関する。
【背景技術】
【０００２】
従来の腰掛けは、通常、ソリッドコアで一体式の腰掛けであり、折り畳みができず、占有スペースが大きく、且つ着脱しにくい。
【考案の概要】
【考案が解決しようとする課題】
【０００３】
上述した従来技術の欠点を克服するため、本考案が実際に解決しようとする技術課題は、折り畳み可能で且つ着脱が簡便である腰掛けを提供することである。
【課題を解決するための手段】
【０００４】
上述した技術課題を解決するため、本考案に用いられる技術案は、次のとおりである。即ち、
腰掛けであって、腰掛け本体と腰掛け本体内に収納される支持部材とを含み、前記腰掛け本体は、可撓性材料からなる底部に開口が形成されている中空の多面体であり、前記支持部材は、外フレームと、内フレームと、頂部支持プレートと、底部支持プレートとを含み、
前記腰掛け本体の側壁が前記外フレームによって支持され、前記外フレームは、側面が閉じられ且つ両端に開口が形成されたフレーム体となるように、三つ以上の硬質板材が連結されたものであると共に、各連結部に沿って折り畳み可能であり、
前記外フレームが前記内フレームによって支持され、前記内フレームは、二つ以上の硬質板材が交差して組み合わされることによって構成され、
前記腰掛け本体の座面が前記頂部支持プレートによって支持され、前記頂部支持プレートは、前記内フレームの頂部に位置しており、
前記底部支持プレートは、前記内フレームの底部に位置し且つ前記外フレーム内に収納されており、前記腰掛け本体の底部の開口周縁が前記底部支持プレートに着脱可能に連結されている。
【０００５】
前記頂部支持プレートは、二つの硬質板材が重なることにより構成され、上層にある硬質板材が外フレームの上に置かれ、下層にある硬質板材が外フレーム内に収納されている。
【０００６】
下層にある硬質板材の形状が、外フレームの頂部開口形状とマッチングしている。
【０００７】
前記腰掛け本体が中空の直方体であり、前記外フレームは、側面が閉じられ且つ両端に開口が形成されたフレーム体となるように、四つの硬質板材が連結されたものであり、中央に短冊状の溝が設けられている２つの硬質板材が十字状に交差して組み合わされることにより内フレームが構成され、前記短冊状の溝が設けられている硬質板材が前記フレーム体の対角線に位置している。
【０００８】
前記腰掛け本体の底部の開口周縁及び底部支持プレートの互いに対応する位置には、面ファスナーがそれぞれ設置されている。
【０００９】
前記底部支持プレートが、外フレームの底部開口形状とマッチングしている。
【００１０】
前記可撓性材料としては、布、皮革、人工皮革、スポンジから選ばれる１種または２種以上の材料を用いることができる。
【００１１】
前記硬質板材としては、板紙、プラスチック板、鋼板から選ばれる１種または２種以上の材料を用いることができる。
【考案の効果】
【００１２】
本考案により提供される腰掛けは、その腰掛け本体と支持部材が着脱または折り畳み自在に構成され、且つ組み立てた後の構造が安定して頑丈であり、内部が中空となっている。よって、構造強度が高く、大きな荷重がかかってもよく、重量が軽く、占有スペースが小さく、且つ格納、輸送、着脱とメンテナンスなどの面において便利である等のメリットがあり、異なる様式の腰掛け本体を差し替えることによって外観の多様化を実現することもでき、市場の成長見通しが特によいと見られる。
【図面の簡単な説明】
【００１３】
【図１】本考案の実施例に係る組み立てを示す模式図である。
【考案を実施するための形態】
【００１４】
以下、本考案の技術内容、構造上の特徴、及び実現しようとする目的及び効果をより詳細に説明するために、図面を参照しながら本考案の実施形態について詳しく説明する。
【００１５】
図１に示すように、本実施形態に係る腰掛けは、腰掛け本体１と腰掛け本体１内に収納される支持部材とを含み、腰掛け本体１は、可撓性材料からなり、底部に開口が形成されている中空の多面体であり、前記支持部材は、外フレーム２と、内フレーム３と、頂部支持プレート４と、底部支持プレート５とを含み、
腰掛け本体１の側壁が外フレーム２によって支持され、外フレーム２は、側面が閉じられ且つ両端に開口が形成されたフレーム体となるように、三つ以上の硬質板材が連結されたものであると共に、各連結部２０に沿って折り畳み可能であり、
外フレーム２が内フレーム３によって支持され、内フレーム３は、二つ以上の硬質板材が交差して組み合わされることによって構成され、
腰掛け本体１の座面１０が頂部支持プレート４によって支持され、頂部支持プレート４は、内フレーム３の頂部に位置しており、
底部支持プレート５は、内フレーム３の底部に位置し且つ外フレーム２内に収納されており、腰掛け本体１の底部の開口周縁が底部支持プレート５に着脱可能に連結されている。
【００１６】
前記実施例において、前記可撓性材料は、周知の可撓で折り畳み可能な材料から選ばれる１種または２種以上を組み合わせて用いてもよく、例えば、布、皮革、人工皮革、スポンジから選ばれる１種または２種以上を組み合わせて用いることができる。組み合わせの方法として、積層、縫合、充填などの周知の任意の１種または２種以上を組み合わせる方法を用いることができ、具体的には、製造された腰掛け本体１が可撓で折り畳み可能となるように、腰掛け本体の外観、肌触り、弾性、耐衝撃性、耐摩擦性などのデザイン要求に応じて適宜決めればよい。腰掛け本体１が支持部材と一体に組立てられた場合、腰掛け本体１が底部に開口が形成されている中空の多面体になっており、実際の状況に合わせて面の数を設定して異なる形状の腰掛けを構成することができる。例えば、図１に示すように、腰掛け本体1が中空の直方体であり、得られた腰掛けが直方体の形状を呈する。また、腰掛け本体1と支持部材とが分解された場合、外力の作用により腰掛け本体1を平面状や他の形状に折り畳むことができ、気軽に格納、輸送、着脱、清掃などをすることができ、占有スペースを減らすことができる。
【００１７】
上述した実施例において、前記硬質板材は、周知の一定程度の支持強度を有する材料から選ばれる１種または２種以上を組み合わせて用いてもよく、例えば、板紙、プラスチック板、鋼板から選ばれる１種または２種以上の材料を用いることができる。十分な支持強度（腰掛けのデザイン要求に応じて決める）を有する場合、前記硬質板材の表面に被覆、プレスばめ、縫合または他の接合方法を用いて付加層を増設してもよく、付加層としては、例えば、外観、肌触り、弾性、耐衝撃性、及び耐摩擦性を高める付加層、または硬質板材と他の部材を接合しやすくする付加層が挙げられる。前記付加層の基材は、異なるデザイン要求に満足できるように、布、皮革、人工皮革、スポンジなどから選ぶことができる。
【００１８】
上述した実施例において「外フレーム２は、三つ以上の硬質板材が連結されたものである」とは、以下の３点の意味が含まれる。即ち、１）三つ以上の互いに独立した硬質板材が囲繞するように連結されてなる、２）二つ以上の折り目を有する一つの硬質板材を折り目に沿って折り曲げて両側部が連結されて取り囲む形で構成される、３）一つ以上の互いに独立した硬質板材と折り目を有する一つ以上の硬質板材とが囲繞するように連結されて構成される。上述した第２と第３の意味において、前記硬質板材の基質として板紙が好ましい。その理由としては、板紙は折り曲げられやすく且つ割れにくいので、外フレーム２を各連結部２０に沿って折り畳むことができるという目的を実現し、使用寿命が長くなるからである。
【００１９】
前記第２の意味において、一つの硬質板材が、折り目に沿って折れ曲がった後に三つ以上の構成フレーム体が同一の面にない硬質板材となる。換言すれば、三つ以上の硬質板材が一体に成形されてもよく、折り目と両側部の連結部はいずれも連結部２０となっている。同様に、前記第３の意味において、三つ以上の硬質板材が局部に限って一体に成形されてもよく、折り目、両側部の連結部と独立の板材との連結部がいずれも連結部２０となっている。外フレーム２を各連結部２０に沿って折り畳むことができるという目的を実現するために、硬質板材間の連結方法としては、折り目による連結方法以外、縫合、ヒンジ接合、または他の周知の二つの板部材を各連結部に沿って折り畳み可能な連結方法を採用することもできる。よって、分解後の外フレーム２を各連結部２０に沿って平面状に折り畳むことができる。
【００２０】
上述した実施例において、外フレーム２によって構成されるフレーム体の形状は、腰掛け本体１の開けた後の形状とマッチングしているので、腰掛け本体１の側壁を確実に支持することができる。例えば、図１に示すように、腰掛け本体１が中空の直方体である場合、外フレーム２は、側面が閉じられ且つ両端に開口が形成された四つの面からなるフレーム体となるように、四つの硬質板材が連結されたものである。ここで、「四つの硬質板材」の意味も、上述した３点の意味を参照する。
【００２１】
上述した実施例において、内フレーム３は、二つ以上の硬質板材が交差して組み合わされることによって構成される。内フレーム３は、外フレーム２内に配置されて外フレーム２を支持し、腰掛け本体１の開けた後の形状が安定して変形しないように確保する。こうしたフレーム構造は、ソリッドコアの構造に比べて腰掛けの重量を確実に減らせるとともに、内フレーム３が頂部支持プレート４と底部支持プレート５の支持部材になっていることから、腰掛けの座面と底部を安定した状態に保持し、更に腰掛け全体の構造強度と負荷性能を高めることができる。内フレーム３の組み合わせ方法は、図１に示すように、１）硬質板材の一側に短冊状の溝３０を設け、２）二つの硬質板材を短冊状の溝３０に合わせて挿接して組み合わせる。組立てた後の形状は、十字形、井字形、米字形などを取ることができる。好ましくは、内フレーム３を構成する各硬質板材がそれぞれ外フレーム２の対角線に位置し、即ち、支持位置が外フレーム２の各角部にある。内フレーム３が腰掛け本体１から分解された後、各硬質板材が互いに分離されて気軽に格納、輸送、着脱及びメンテナンスをすることができる。また、組立て方法は、図１に示される方法に限らず、二つ以上の硬質板材を組み合わせて本考案の内フレーム３を構成することができれば、如何なる方法であってもかまわない。つまり、本考案に係る内フレーム３の構造と一致または類似した構造であれば、いずれも本考案の保護の範囲内に含まれる。
【００２２】
上述した実施例において、前記頂部支持プレート４は、二つの硬質板材が重なることにより構成されることが好ましい。上層にある硬質板材は、外フレーム２の上に置かれ、座面１０の安定性を確保するとともに座面１０が外フレーム２に向けて凹むことを防ぐことができる。下層にある硬質板材は、外フレーム２内に収納され且つ内フレーム３の頂部に置かれ、よって、頂部支持プレート４が水平方向において外フレーム２に制限されて滑らず、より安定に設置することができる。より好ましくは、下層にある硬質板材の形状が外フレーム２の頂部の開口形状とマッチングするので、外フレーム２を支持する効果を果たして腰掛けの変形を更に防ぐことができる。
【００２３】
上述した実施例において、底部支持プレート５が腰掛けの底面になっており，底部支持プレート５は、周知の任意一つの着脱可能な連結方法によって腰掛けに連結することができる。好ましくは、底部支持プレート５の周縁には、面ファスナーを設置し、腰掛け本体１の底部の開口周縁にも面ファスナーを設置する。よって、面ファスナー同士の接合により、腰掛け本体１の底部の開口周縁を底部支持プレート５に固定し、腰掛け本体１と底部支持プレート５を一体に結合させて外フレーム２、内フレーム３及び頂部支持プレート４を腰掛け内に収納し、組立て済みの腰掛け構造を構成する。面ファスナーによる連結方式を採用することで着脱及びメンテナンスが便利になる。より好ましくは、前記底部支持プレート５の形状が外フレーム２の底部の開口形状とマッチングするので、外フレーム２を支持する効果を果たして腰掛けの変形を更に防ぐことができる。
【００２４】
本考案の組立て方法を図１に示す。図１及び上述の説明から分かるように、本考案に係わる腰掛け本体１と支持部材は、着脱または折り畳みが自在であり、且つ組み立てた後の構造が安定して頑丈であり、内部が中空となっている。よって、構造強度が高く、大きな荷重がかかってもよく、重量が軽く、占有スペースが小さく、気軽に格納、輸送、着脱及びメンテナンスをすることができるなどのメリットがある。更に、異なる様式の腰掛け本体を差し替えることで外観の多様化を実現することもでき、市場の成長見通しが特によいと見られる。
【００２５】
以上において、本考案の実施例について説明を行っているが、本考案の実用新案登録請求の範囲がこれらに制限されるものではない。また、本考案の明細書及び図面に記載の事項を参照した構造上または組立てなどの面での等価的な変形や変更、または本考案の記載事項の他の関連の技術分野への直接的または間接的な応用は、いずれも本考案の実用新案登録請求の範囲に含まれると理解すべきである。
【符号の説明】
【００２６】
１  腰掛け本体
２  外フレーム
３  内フレーム
４  頂部支持プレート
５  底部支持プレート
１０  座面
２０  連結部
３０  短冊状の溝
【図１】
0003188053.tif 000003